(57)【要約】【課題】本人認証と特定の操作とを行う場合に、利用者が簡単な操作で行うことができ、かつセキュリティを十分に確保することが可能な生体情報認証装置、生体情報認証方法、および生体情報認証用プログラムを提供することを目的とする。【解決手段】本発明の生体情報認証装置は、特定人の複数の生体情報と、複数の操作内容とをそれぞれ関連づけて登録した記憶手段３と、利用者の生体情報を取得する生体情報取得手段１と、記憶手段３を参照して、生体情報取得手段１で取得した生体情報が登録されているか否かを判断し、登録されている場合には、当該取得した生体情報をキーとして対応する操作内容を実行する認証処理手段２とを備えている。【選択図】        図１
2007034978.tif 000002
【特許請求の範囲】
【請求項１】
特定人の複数の生体情報と、複数の操作内容とをそれぞれ関連づけて登録した記憶手段と、
利用者の生体情報を取得する生体情報取得手段と、
前記記憶手段を参照して、前記生体情報取得手段で取得した生体情報が登録されているか否かを判断し、登録されている場合には、当該取得した生体情報をキーとして対応する操作内容を実行する認証処理手段と、
を備えたことを特徴とする生体情報認証装置。
【請求項２】
装置の操作状態を取得する操作状態取得手段を備え、
前記記憶手段には、前記特定人の複数の生体情報と、前記装置の複数の操作状態と、および前記複数の操作内容とをそれぞれ関連づけて登録しておき、
前記認証処理手段は、前記記憶手段を参照して、前記生体情報取得手段で取得した生体情報が登録されているか否かを判断し、登録されている場合には、当該取得した生体情報および前記操作状態取得手段で取得した装置の操作状態をキーとして、対応する操作内容を実行することを特徴とする請求項１に記載の生体情報認証装置。
【請求項３】
前記複数の生体情報と、前記複数の操作内容との関係を表示する表示手段を備えたことを特徴とする請求項１または請求項２に記載の生体情報認証装置。
【請求項４】
前記生体情報は、指紋データであることを特徴とする請求項１〜請求項３のいずれか１つに記載の生体情報認証装置。
【請求項５】
前記操作内容には、少なくとも他の拠点との接続動作が含まれることを特徴とする請求項１〜請求項４のいずれか１つに記載の生体情報認証装置。
【請求項６】
利用者の生体情報を取得する生体情報取得工程と、
特定人の複数の生体情報と、複数の操作内容とをそれぞれ関連づけて登録した記憶手段を参照して、前記生体情報取得工程で取得した生体情報が登録されているか否かを判断し、登録されている場合には、当該取得した生体情報をキーとして対応する操作内容を実行する認証処理工程と、
を含むことを特徴とする生体情報認証方法。
【請求項７】
利用者の生体情報を取得する生体情報取得工程と、
特定人の複数の生体情報と、複数の操作内容とをそれぞれ関連づけて登録した記録手段を参照して、前記生体情報取得工程で取得した生体情報が登録されているか否かを判断し、登録されている場合には、当該取得した生体情報をキーとして対応する操作内容を実行する認証処理工程と、
をコンピュータに実行させることを特徴とする生体情報認証用プログラム。
【発明の詳細な説明】
【技術分野】
【０００１】
本発明は、生体情報認証装置、生体情報認証方法、および生体情報認証用プログラムに関し、詳細には、生体情報を使用して、本人認証と特定操作を実行する生体情報認証装置、生体情報認証方法、および生体情報認証用プログラムに関する。
【背景技術】
【０００２】
例えば、端末機器の使用、重要な施設等への入室や、ネットワーク上でのサービスを受けるためのアクセスに際して、従来から、ＩＤとパスワード、又は磁気カードやＩＣカード等を用いる本人認証が行われている。ＩＤとパスワードを用いる本人認証システムは、ユーザに割り振られたユーザ固有の番号（ＩＤ）と、システムあるいはユーザが設定したパスワードとの組がシステム上に格納され、ユーザはサービスを利用する際、ＩＤとパスワードを入力し、システム上で格納しているユーザのＩＤとパスワードとを比較し、一致すればユーザ本人であると見なす。ＩＣカードを用いる本人認証システムは、正規ユーザにＩＣカードを提供し、システムにアクセスする際にカードリーダにカードを読み込ませることでユーザ本人であることを認証する。
【０００３】
しかしながら、ＩＤとパスワードは、知っていれば誰でも本人になりすますことができるという欠点がある。これらは無形の情報であるため、パスワードが第三者に漏洩したことを知るのは難しい。また、ＩＣカードは、紛失や盗難があると容易に分るが、そもそも紛失や盗難される機会が多く、ユーザが紛失や盗難に気付くまでの間に第三者によって不正に利用されるという恐れがある。このように、ＩＤとパスワードは「知っている人」を正規ユーザとみなし、ＩＣカードは「所持している人」を正規ユーザとみなして本人認証しているので、本人認証システムとしては問題がある。
【０００４】
これに対して、確実に本人を認証する方法として生体情報認証がある。生体情報認証では、ユーザ本人を特定することができる生体情報をユーザの識別子として利用する。ユーザの生体情報は偽造困難であり、同じ情報を持つ人がいない（万人不等）、ユーザの成長など経年変化で変動しない（生涯不変）という特徴を有する。生体情報認証は、パスワードやＩＣカードなどと異なり、他人がなりすますことができない本人認証手段として注目されている。生体情報を使用したネットワーク認証方法として、例えば、特許文献１が公知である。
【０００５】
つぎに、本人認証と端末装置の操作との関係について説明する。図１２は、端末機器における本人認証の従来技術を説明するための図である。同図において、端末機器で認証行為を行うと、操作が許可され、以降の操作では認証を行う必要がなくなる。すなわち、端末機器が操作可能状態になった以降は、誰でも操作することができるため、操作毎にセキュリティを保つことはできないという問題がある。
【０００６】
図１３は、端末機器における本人認証の従来技術の他の例を説明するための図である。同図において、特定の操作（例えば、パスワード付きファイルを開く、認証が必要なＷｅｂサイト閲覧など）を行う毎に、認証行為が必要な構成では、認証の操作と、認証後の操作をユーザが行う必要があるため利用者の操作が煩雑であるという問題がある。
【０００７】
例えば、テレビ会議システムでは、接続毎に必要な対地情報の入力および拠点選択などを行って接続する必要がある。このため、利用者にとって接続先情報の入力行為が必要となりその操作が煩雑であるという問題がある。また、パスワードなどでセキュリティを確保しているが、パスワードを記憶または記録しておく必要があった。例えば、共用会議室などに設置された端末機器を用いて接続行為を行う場合、接続先情報を削除しない限り、他人に接続先情報を閲覧される可能性があり、セキュリティを確保できないという問題がある。
【０００８】
【特許文献１】特開２００２−２７１３２０号公報
【発明の開示】
【発明が解決しようとする課題】
【０００９】
本発明は、上記に鑑みてなされたものであり、本人認証と特定の操作とを行う場合に、利用者が簡単な操作で行うことができ、かつセキュリティを十分に確保することが可能な生体情報認証装置、生体情報認証方法、および生体情報認証用プログラムを提供することを目的の一つとする。
【課題を解決するための手段】
【００１０】
上述した課題を解決し、目的を達成するために、本発明の生体情報認証装置は、特定人の複数の生体情報と、複数の操作内容とをそれぞれ関連づけて登録した記憶手段と、利用者の生体情報を取得する生体情報取得手段と、前記記憶手段を参照して、前記生体情報取得手段で取得した生体情報が登録されているか否かを判断し、登録されている場合には、当該取得した生体情報をキーとして対応する操作内容を実行する認証処理手段と、を備えたことを特徴とする。
【００１１】
また、本発明の生体情報認証方法は、利用者の生体情報を取得する工程と、特定人の複数の生体情報と、複数の操作内容とをそれぞれ関連づけて登録した記憶手段を参照して、前記生体情報取得工程で取得した生体情報が登録されているか否かを判断し、登録されている場合には、当該取得した生体情報をキーとして対応する操作内容を実行する認証処理工程とを含むことを特徴とする。
【００１２】
また、本発明の生体情報認証用プログラムは、利用者の生体情報を取得する工程と、特定人の複数の生体情報と、複数の操作内容とをそれぞれ関連づけて登録した記録手段を参照して、前記生体情報取得工程で取得した生体情報が登録されているか否かを判断し、登録されている場合には、当該取得した生体情報をキーとして対応する操作内容を実行する認証処理工程と、をコンピュータに実行させることを特徴とする。
【発明を実施するための最良の形態】
【００１３】
以下に添付図面を参照して、この発明に係る生体情報認証装置、生体情報認証方法、および生体情報認証用プログラムの最良な実施の形態を詳細に説明する。この実施の形態によりこの発明が限定されるものではない。また、下記実施の形態における構成要素には、当業者が容易に想定できるものまたは実質的に同一のものが含まれる。
【００１４】
（実施の形態）
図１は、実施の形態１に係る生体情報認証装置の構成例を示す図である。実施の形態１に係る生体情報処理装置は、図１に示すように、生体情報取得手段１と、認証処理手段２と、記憶手段３とを備えている。記憶手段３は、特定人の複数の生体情報と、複数の操作内容（＝特定操作）とをそれぞれ関連づけて登録している。ここで、生体情報としては、例えば、指紋、声紋、掌紋、掌形、静脈、虹彩、網膜などを使用することができる。また、操作内容には、各種の操作が含まれ、例えば、他の装置（拠点）との接続、ファイル・フォルダのオープン・クローズ、アプリケーションの起動・終了、装置のシャットダウン等の操作が含まれる。
【００１５】
生体情報取得手段１は、利用者の生体情報を取得して認証処理手段２に出力する。認証処理手段２は、記憶手段３を参照して、生体情報取得手段１で取得した生体情報が登録されているか否かを判断し、登録されている場合には、当該取得した生体情報をキーとして対応する操作内容を実行する。例えば、生体情報取得手段１で取得した生体情報が生体情報２である場合には、認証処理手段２は、操作内容２を実行する。
【００１６】
図２は、実施の形態１の生体情報認証装置において、本人認証と装置の操作との関係を説明するための図である。図２に示すように、生体情報認証装置は、利用者の生体情報を取得して、本人認証と特定操作を同時に行うため、利用者が簡単な操作で認証と特定の操作を行うことができ、かつセキュリティを十分に確保することが可能となる。
【００１７】
図３は、実施の形態２に係る生体情報認証装置の構成を示す図である。図３において、図１と同等機能を有する部位には、同一符号を付してある。実施の形態２に係る生体情報処理装置は、実施の形態１の生体情報認証装置において、装置の操作状態を取得する操作状態取得手段４を更に備えている。また、記憶手段３には、特定人の複数の生体情報と、装置の複数の操作状態と、および複数の操作内容とがそれぞれ関連づけて登録されている。
【００１８】
生体情報取得手段１は、利用者の生体情報を取得して認証処理手段２に出力する。操作状態取得手段４は、装置の操作状態を取得して認証処理手段２に出力する。認証処理手段２は、記憶手段３を参照して、生体情報取得手段１で取得した生体情報が登録されているか否かを判断し、登録されている場合には、当該取得した生体情報および操作状態取得手段４で取得した装置の操作状態をキーとして、対応する操作内容を実行する。例えば、生体情報取得手段１で取得した生体情報が生体情報２であり、操作状態取得手段４で取得した装置の操作状態が操作状態１の場合には、認証処理手段２は、操作内容１２を実行する。
【００１９】
このように、装置の状態毎に、実行する操作内容を変更しているので、生体情報を使用して、複雑な操作を行うことが可能となる。
【実施例】
【００２０】
図４は、実施例に係る生体情報認証装置１００の構成例を示す図である。生体情報認証装置１００は、ネットワーク４００を介して他の拠点Ａ〜Ｄ（端末Ａ、端末Ｂ、端末Ｃ、端末Ｄ、・・・），・・・と接続されており、電子会議システムの会議端末として機能する。この実施例では、生体情報として指紋データを使用した場合について説明する。
【００２１】
生体情報認証装置１００は、図４に示すように、指紋認識機器２００と、端末本体３００とで構成されている。指紋認証機器２００は、利用者の指の指紋データを光学的に読み取る指紋スキャン部２０１と、端末本体３００とデータ通信を行うためのＩ／Ｆ２０２とを備えている。
【００２２】
端末本体３００は、指紋認証機器２００とデータ通信を行うためのＩ／Ｆ３１０と、生体情報認証装置の全体の制御を行う制御部３２０と、ＣＲＴ、ＰＤＰ、および液晶ディスプレイ等で構成され、必要な情報を表示するための表示部３３０と、アクセスが許可された人物の指紋データが登録された指紋ＤＢ３４０と、各種テーブルを格納したデータ管理部３５０と、ネットワーク４００と接続してデータ通信を行うための通信部３６０とを備えている。
【００２３】
制御部３２０は、ＲＯＭに格納された生体情報認証用プログラム等の各種プログラムを実行するＣＰＵと、ＣＰＵがワークエリアとして使用するＲＡＭと、生体情報認証用プログラム等の各種プログラムやデータを格納したＲＯＭ等で構成されており、同図では、制御部３２０を機能構成で示している。制御部３２０は、指紋認証機器ドライバ部３２１と、指紋認証機器２００で取得した指紋データが登録されているか否かを判断して本人認証を行う指紋認証部３２２と、当該指紋データに対応した操作内容を自動実行するコマンド処理部３２３とを備えている。
【００２４】
図５は、指紋ＤＢ３４０に登録されるデータの一例を示す図である。同図に示すように、指紋ＤＢ３４０には、指紋データ（画像データ）に対応させて、人物情報（人物名）および指情報（右手・左手のどの指か）を示すコマンドが登録されている。コマンドは、例えば６ビットのデータとし、上位３ビットを人物情報に割り当て、下位３ビットを指情報に割り当てることができる。
【００２５】
データ管理部３５０は、状態情報テーブル３５１、指紋対応テーブル３５２、および拠点情報テーブル３５３等を備え、これら各テーブルを管理しており、制御部３２０の指示に従ってそのデータの登録や検索を行う。
【００２６】
図６は、状態情報テーブル３５１の一例を示す図である。状態情報テーブル３５１は、図６に示すように、端末の現在の状態と、状態インデックスとを関連づけて登録している。図６に示す例では、端末の現在の状態「未接続状態」、「Ａ拠点と接続済み状態」、「Ｂ拠点と接続済み状態」、「Ａ拠点と接続済み状態＆特定アプリケーシ」、・・・には、それぞれ、状態インデックス「１」、「２」、「３」、「４」、・・・が登録されている。
【００２７】
図７は、指紋対応テーブル３５２の一例を示す図である。指紋対応テーブル３５２は、人物毎に作成されており、指紋認証対象（生体情報）と、装置の現在の状態と、および操作内容とをそれぞれ関連づけて登録している。指紋対応テーブル３５２は、図７に示す例では、指紋認証対象と、状態１〜状態５に各々対応する操作内容のコマンドとを関連づけて登録している。
【００２８】
図７に示す例では、指紋認証対象として、「右手−親指」、「右手−人差し指」、「右手−中指」、「右手−薬指」、「右手−小指」、「左手−親指」、・・・，「左手−小指」が登録されている。状態１の操作内容のコマンドとしては、例えば、「Ｂ拠点と接続」、「Ｃ拠点と接続」、「Ｄ拠点と接続」、「Ｂ、Ｃ拠点と接続」、「Ｃ、Ｄ拠点と接続」、「Ｂ、Ｄ拠点と接続」、・・・、「Ｅ地点と接続」が登録されている。状態２の操作内容のコマンドとしては、例えば、「特定操作１」、「特定操作２」、「特定操作３」、「特定操作４」、「特定操作５」、「特定操作６」、・・・、「特定操作１０」が登録されている。
【００２９】
図８は、図６の特定操作１〜１０の一例を示す図である。特定操作１，特定操作２，特定操作３、特定操作４，特定操作５は、それぞれ、”ワープロソフトを起動”、”マイドキュメントフォルダを開く”、”インターネットブラウザを起動”、”ワープロソフトを終了”、”装置をシャットダウン”が対応している。
【００３０】
図９は、拠点情報テーブル３５３の一例を示す図である。拠点情報テーブル３５４には、図９に示すように、拠点Ａ〜Ｅ毎に、接続操作に関して必要なＩＰアドレス等のデータが格納されており、拠点名と、ＩＰアドレスと、拠点名称とを関連づけて登録している。例えば、拠点名「Ａ拠点」のＩＰアドレスは、「ａａａ．ａａａ．ａａａ．ａａａ」であり、地点名は、「東京」である。
【００３１】
図１０は、上記図４の生体情報認証装置１００の動作を説明するためのフローを示す図である。以下では、指紋ＤＢ３４０に登録されている人物ＸＸＸの右手親指の指紋データが指紋認証機器２００で読み取る場合を例示して説明する。
【００３２】
図１０において、まず、利用者が指紋認証機器２００の指紋スキャナ部２０１に対象となる指をかざすと、指紋スキャナ部２０１は指の指紋を光学的に読み取って指紋データを取得する（ステップＳ１）。本例では、人物ＸＸＸの右手親指の指紋データが読み取られる。Ｉ／Ｆ２０２は、指紋スキャナ部２０１で取得した指紋データを端末本体３００のＩ／Ｆ３１０を介して、制御部３２０の指紋認証機器ドライバ部３２１に送信する（ステップＳ２）。
【００３３】
端末本体３００では、指紋認証機器ドライバ部３２１は、入力される指紋データを指紋認証部３２２に送信する（ステップＳ３）。指紋認証部３２３は、指紋ＤＢ３４０（図５参照）を照合し、入力された指紋データがアクセスの許可された人物の指紋データと一致するか否かを判断し（ステップＳ４）、指紋データが一致しない場合には（ステップＳ４の「Ｎｏ」）、「指紋不一致のためアクセスを許可できません」というメッセージを表示部３３０に表示する（ステップＳ５）。他方、指紋データが一致した場合には（ステップＳ４の「Ｙｅｓ」）、当該指紋データに対応するコマンドをコマンド処理部３２３に通知する（ステップＳ６）。本例では、人物ＸＸＸの右手親指の指紋データが指紋ＤＢ３４０に登録されているので、対応するコマンドがコマンド処理部３２３に通知される。
【００３４】
コマンド処理部３２３は、指紋認証部３２３から通知されたコマンドから人物情報および指情報を取得する（ステップＳ７）。本例では、人物情報”ＸＸＸ”および指情報”右手親指”を取得する。
【００３５】
また、コマンド処理部３２３は、現在の装置の状態を取得した後（ステップＳ８）、状態情報テーブル３５１（図６参照）を参照して、対応する状態インデックスを取得する（ステップＳ９）。本例では、装置が未接続状態であるものとし、状態情報テーブル３５１から「未接続状態」に対応する状態インデックス「１」が取得される。
【００３６】
続いて、コマンド処理部３２３は、取得した人物情報および指情報と、状態インデックスをキーとして、指紋対応テーブル３５２（図７参照）を参照して、対応するコマンド（操作内容）を取得する（ステップＳ１０）。本例では、人物情報”ＸＸＸ”、指情報”右手親指”、および状態インデックス「１」をキーとして、対応するコマンド「Ｂ拠点と接続」を取得する。
【００３７】
そして、コマンド処理部３２３は、取得したコマンドに対応する処理（操作内容）を実行する（ステップＳ１１）。本例では、コマンド処理部３２３は、「Ｂ拠点と接続」するために、拠点情報テーブル３５４（図９参照）を参照して、拠点Ｂに対応するＩＰアドレス「ｂｂｂ．ｂｂｂ．ｂｂｂ．ｂｂｂ」を取得して、このＩＰアドレスの拠点Ｂと通信部３６０を介して接続する。
【００３８】
なお、本実施例では、複数の指を使用して本人認証および特定操作を行っているので、利用者は各指がどの操作内容に対応しているのかを忘れてしまう場合がある。そこで、使用する指と、操作内容との関係をグラフィカルに表示部３３０に表示して、ガイダンス表示を行うことにしてもよい。図１１は、使用する指と操作内容との関係のガイダンス表示の一例を示す図である。
【００３９】
以上説明したように、上記実施例によれば、指紋データに対応させて人物情報（人物名）および指情報（右手・左手のどの指か）が登録された指紋ＤＢ３４０と、人物毎に、複数の指紋認識対象と、複数の操作内容とをそれぞれ関連づけて登録した指紋対応テーブル３５２を備えており、指紋認証機器２００は利用者の指紋を取得し、制御部３２０は指紋ＤＢ３４０に指紋認証機器２００で取得した利用者の指紋データが登録されている場合には、指紋対応テーブル３５２を参照して、対応する操作内容を実行することとしたので、利用者の指紋データを取得して、本人認証と特定操作を同時に行うため、利用者が簡単な操作で認証と特定の操作を行うことができ、かつセキュリティを十分に確保することができる。付言すると、ほとんどの処理を指だけで行うことが可能となり、利用者の使い勝手が良くなる。
【００４０】
また、指紋対応テーブル３５２には、複数の指紋認識対象と、装置の複数の操作状態と、複数の操作内容とをそれぞれ関連づけて登録しておき、制御部３２０は、装置の現在の操作状態を取得し、指紋対応テーブル３５２を参照して、取得した操作状態に対応する操作内容を実行することとしたので、装置の操作状態に応じて操作内容を変更することができ、指紋認証行為のみで、装置の状態に応じてさまざまな操作が可能となる。
【００４１】
また、使用する指と、操作内容との関係をグラフィカルに表示部３３０に表示することとしたので、利用者が操作方法を忘れてしまうことを防止することができる。
【００４２】
また、操作内容には、他の拠点との接続動作が含まれることとしたので、接続毎に煩雑な操作を行う必要なく、簡単に接続することができる。特に、電子会議システムなどによる定例会議など、頻繁に行われる接続に関して有効である。
【００４３】
なお、上記実施例では、生体情報認証装置を電子会議システムに適用した場合について説明したが本発明はこれに限られるものではない。また、上記実施例では、各種データをテーブル形式で格納することとしたが、データを格納する形態は如何なる形態でもよく、例えば、リスト形式としてもよい。
【産業上の利用可能性】
【００４４】
以上のように、本発明に係る生体情報認証装置、生体情報認証方法、および生体情報認証用プログラムは、生体認証を行う各種装置や電子会議システムの会議用端末等に広く利用可能である。
【図面の簡単な説明】
【００４５】
【図１】実施の形態１に係る生体情報認証装置の構成を示す図である。
【図２】本人認証と装置の操作との関係を説明するための図である。
【図３】実施の形態２に係る生体情報認証装置の構成を示す図である。
【図４】実施例に係る生体情報認証装置の構成例を示す図である。
【図５】指紋ＤＢに登録されるデータの一例を示す図である。
【図６】状態情報テーブルの一例を示す図である。
【図７】指紋対応テーブルの一例を示す図である。
【図８】特定操作１〜１０の一例を示す図である。
【図９】拠点情報テーブルの一例を示す図である。
【図１０】生体情報認証装置の処理フローを示す図である。
【図１１】使用する指と操作内容との関係のガイダンス表示の一例を示す図である。
【図１２】端末機器における本人認証の従来技術を説明するための図である。
【図１３】端末機器における本人認証の従来技術の他の例を説明するための図である。
【符号の説明】
【００４６】
１  生体情報取得手段
２  認証処理手段
３  記憶手段
４  操作状態取得手段
１００  生体情報認証装置
２００  指紋認証機器
２０１  指紋スキャン部
２０２  Ｉ／Ｆ
３００  端末本体
３１０  Ｉ／Ｆ
３２０  制御部
３２１  指紋認識機器ドライバ部
３２２  指紋認証部
３２３  コマンド処理部
３３０  表示部
３４０  指紋ＤＢ
３５０  データ管理部
３５１  状態情報テーブル
３５２  指紋対応テーブル
３５３  特定操作テーブル
３５４  拠点情報テーブル
４００  ネットワーク
【図１】
2007034978.tif 000003
【図２】
2007034978.tif 000004
【図３】
2007034978.tif 000005
【図４】
2007034978.tif 000006
【図５】
2007034978.tif 000007
【図６】
2007034978.tif 000008
【図７】
2007034978.tif 000009
【図８】
2007034978.tif 000010
【図９】
2007034978.tif 000011
【図１０】
2007034978.tif 000012
【図１１】
2007034978.tif 000013
【図１２】
2007034978.tif 000014
【図１３】
2007034978.tif 000015